(57)【要約】【課題】コラーゲン合成を促進したり、細菌の成長を抑制したり、メラニン合成を抑制したりする光刺激方法及び光刺激装置を提供する。【解決手段】光刺激方法は、黄色発光ダイオード、赤色発光ダイオード又は青色発光ダイオードを含む発光ダイオード光源を準備するステップと、発光ダイオード光源により被験物を照射してコラーゲン合成を促進したり、細菌の成長を抑制したり、メラニン合成を抑制したりするステップとを含む。黄色発光ダイオードの輝度は１０００〜３５００ルクスである。赤色発光ダイオードの輝度は６０００〜９５００ルクスである。青色発光ダイオードの輝度は３０００〜７０００ルクスである。光刺激装置は、ケーシング１０、光拡散シート１４、第１の光源モジュール４０及び制御モジュール３０を備える。【選択図】図１
2013146528.tif 000002
【特許請求の範囲】
【請求項１】
黄色発光ダイオード、赤色発光ダイオード又は青色発光ダイオードを含む発光ダイオード光源を準備するステップと、
前記発光ダイオード光源により被験物を照射してコラーゲン合成を促進したり、細菌の成長を抑制したり、メラニン合成を抑制したりするステップと、を含み、
前記黄色発光ダイオードの輝度は１０００〜３５００ルクスであり、前記赤色発光ダイオードの輝度は６０００〜９５００ルクスであり、前記青色発光ダイオードの輝度は３０００〜７０００ルクスであることを特徴とする光刺激方法。
【請求項２】
前記発光ダイオード光源は、前記黄色発光ダイオード又は前記赤色発光ダイオードであることを特徴とする請求項１に記載の光刺激方法。
【請求項３】
前記被験物は、線維芽細胞、マクロファージ又はそれらの組み合わせであることを特徴とする請求項１または２に記載の光刺激方法。
【請求項４】
前記黄色発光ダイオードの光波長範囲は５７０〜５９０ｎｍであり、
前記赤色発光ダイオードの光波長範囲は６２０〜７５０ｎｍであることを特徴とする請求項２または３に記載の光刺激方法。
【請求項５】
前記赤色発光ダイオードの照射時間又は前記黄色発光ダイオードの照射時間は５〜９０分間であることを特徴とする請求項２〜４のいずれか一項に記載の光刺激方法。
【請求項６】
前記発光ダイオード光源は、前記青色発光ダイオードであることを特徴とする請求項１に記載の光刺激方法。
【請求項７】
前記被験物は、プロピオニバクテリウムアクネス、メラノサイト又はそれらの組み合わせであることを特徴とする請求項６に記載の光刺激方法。
【請求項８】
前記青色発光ダイオードの光波長範囲は４５０〜４７５ｎｍであることを特徴とする請求項６または７に記載の光刺激方法。
【請求項９】
前記青色発光ダイオードの照射時間は５〜９０分間であることを特徴とする請求項６〜８のいずれか一項に記載の光刺激方法。
【請求項１０】
ケーシング、光拡散シート、第１の光源モジュール及び制御モジュールを備えた光刺激装置であって、
前記ケーシングは、光取出し口が設けられた頂面と、側縁と、を有し、
前記光拡散シートは、前記ケーシングの前記光取出し口を覆い、
前記第１の光源モジュールは、前記ケーシングの収納空間中に配置され、第１の発光ダイオードを有し、前記第１の発光ダイオードは、前記光拡散シートの下方へ配置され、前記第１の発光ダイオードは、赤色発光ダイオード、黄色発光ダイオード又は青色発光ダイオードを含み、前記黄色発光ダイオードから出射されて前記光拡散シートを透過する光の輝度は１０００〜３５００ルクスであり、前記赤色発光ダイオードから出射されて前記光拡散シートを透過する光の輝度は６０００〜９５００ルクスであり、前記青色発光ダイオードから出射されて前記光拡散シートを透過する光の輝度は３０００〜７０００ルクスであり、
前記制御モジュールは、前記第１の光源モジュール及び電源モジュールと電気的に接続されることを特徴とする光刺激装置。
【請求項１１】
前記電源モジュールは、外部電源であるか、前記ケーシングの前記収納空間中に配置されることを特徴とする請求項１０に記載の光刺激装置。
【請求項１２】
前記制御モジュールは、前記電源モジュールを前記制御モジュールへ電気的に接続する充電ソケットを含むことを特徴とする請求項１０または１１に記載の光刺激装置。
【請求項１３】
前記制御モジュールは、前記ケーシングの表面に配置されるとともに前記電源モジュールの電源供給を制御する電源スイッチを含むことを特徴とする請求項１０〜１２のいずれか一項に記載の光刺激装置。
【請求項１４】
前記ケーシングの側縁には、光取出し孔が設けられることを特徴とする請求項１０〜１３のいずれか一項に記載の光刺激装置。
【請求項１５】
前記光取出し孔を覆う透光性プレートと、前記透光性プレートに対応して配置されるとともに前記透光性プレートを透過させる光線を出射する第２の光源モジュールと、をさらに備えることを特徴とする請求項１０〜１４のいずれか一項に記載の光刺激装置。
【請求項１６】
前記制御モジュールは、前記ケーシングの表面に配置されるとともに前記第１の光源モジュール又は前記第２の光源モジュールを起動するモード切換スイッチと、を含むことを特徴とする請求項１０〜１５のいずれか一項に記載の光刺激装置。
【発明の詳細な説明】
【技術分野】
【０００１】
本発明は、光刺激方法及び光刺激装置に関し、特に、コラーゲン合成を促進したり、細菌の成長を抑制したり、メラニン合成を抑制したりする光刺激方法及び光刺激装置に関する。
【背景技術】
【０００２】
皮膚科では、薬物により患者の皮膚病（例えば、ニキビなど）を治療するのが一般的である。しかし薬物治療を行うと長期的には副作用を伴い、長期間服用した場合、身体に新陳代謝の負担が発生する上、治療効果が理想的でなく、再発の可能性があるため、患者の皮膚問題を改善することができない虞がある。
【０００３】
近年、医療産業及び美容産業が発展し、研究結果によると、波長４００〜４７５ｎｍの青色光をニキビの治療に用いると、青色光がプロピオニバクテリウムアクネス（Ｐｒｏｐｉｏｎｉｂａｃｔｅｒｉｕｍ  Ａｃｎｅｓ）又は組織細胞内のコプロポルフィリン（ｃｏｐｒｏｐｏｒｐｈｙｒｉｎ）と作用して毒性モノ酸素（ｔｏｘｉｃ  ｍｏｎｏ−ｏｘｙｇｅｎ）及びフリーラジカルを発生させることができる上、細菌及び皮脂腺組織細胞の一部を破壊し、ニキビの炎症を防ぐことができる。他方、波長６００〜７５０ｎｍの赤色光、波長５５０〜６００ｎｍの黄色光及び波長５００〜５７０ｎｍの緑色光は、真皮層の線維芽細胞を刺激し、コラーゲン合成を促進し、皮膚の老化を防ぐことができる。
このように、従来は、美容又は治療等の目的を達成するために、個々人の必要に応じて異なる波長光源を用いて光治療を行っていた（例えば、特許文献１および２参照）。
【０００４】
上述の効果を得るために、現在メーカの大部分はレーザ光又はパルス光を使用し、これら２種類の光のエネルギ又は強度を用いて上述の効果を得ていたが、細胞に障害が起きやすかった。近年、上述の高強度光源を代替することができる一般の光源又は発光ダイオードの光源技術が積極的に開発されているが、発光ダイオードの光源は、エネルギが小さく、適宜な輝度でなければ効果を得ることができず、もし輝度が低すぎる場合、治療効果を得ることができなかった。反対に、光線の輝度が高すぎる場合、細胞に障害が起きやすい上、それに必要な装置の体積も大きくなるため、小型で軽量の携帯式光治療器を開発することは困難であった。
【０００５】
上述したことから明らかなように、特定の輝度範囲の発光ダイオードを利用し、コラーゲン合成を促進したり、細菌の成長を抑制したり、メラニン合成を抑制したりするとともに、人的コスト及び時間コストを減らし、患者の肌を短期間できれいにすることができる光刺激方法及び光刺激装置の開発が求められていた。
【先行技術文献】
【特許文献】
【０００６】
【特許文献１】台湾登録番号Ｍ３０８０８０（請求の範囲等）
【特許文献２】台湾登録番号Ｍ３２３８９８（請求の範囲等）
【発明の概要】
【発明が解決しようとする課題】
【０００７】
本発明の目的は、発光ダイオードから特定の輝度範囲である赤色光又は黄色光を出射し、線維芽細胞を刺激してコラーゲン合成を促進させるとともに、血液循環を促進し、細胞代謝を促進したり、或いは、特定の輝度範囲の青色光を出射することにより、プロピオニバクテリウムアクネスを抑制したり殺したり、或いは、メラノサイト内のメラニン合成を低減したり抑制したりする光刺激方法を提供することにある。
【課題を解決するための手段】
【０００８】
上記課題を解決するために、本発明の第１の形態によれば、黄色発光ダイオード、赤色発光ダイオード又は青色発光ダイオードを含む発光ダイオード光源を準備するステップと、発光ダイオード光源により被験物を照射してコラーゲン合成を促進したり、細菌の成長を抑制したり、メラニン合成を抑制したりするステップと、を含み、黄色発光ダイオードの輝度は１０００〜３５００ルクスであり、赤色発光ダイオードの輝度は６０００〜９５００ルクスであり、青色発光ダイオードの輝度は３０００〜７０００ルクスであることを特徴とする光刺激方法が提供される。
【０００９】
従来技術では、通常、様々な波長のレーザ光又はパルス光を使用してニキビを治療したり、真皮層の線維芽細胞を刺激してコラーゲン合成を促進させるが、レーザ光又はパルス光の強度は非常に強く、それに必要な設備が非常に大きいため、一般の消費者は所有することが困難であった。近年、発光ダイオードを光源として使用して上述したようにニキビを治療してコラーゲン合成を促進させる効果を得ることが期待されているが、従来、発光ダイオードの発光輝度が細胞又はバクテリアに与える影響は研究されていないため、特定の輝度が設定されていない条件下において、従来方法により上述の効果を得ることができるか否か知られていない。反対に、本発明で述べる方法は、青色光、黄色光又は赤色光を出射する発光ダイオードを光源として用い、異なる輝度範囲に限定されるため、線維芽細胞を刺激してコラーゲン合成を促進させたり、プロピオニバクテリウムアクネスを抑制したり殺したり、或いは、メラノサイト内のメラニン合成を低減したり抑制したりすることができる。
【００１０】
赤色光又は黄色光の発光ダイオードを使用して適宜な輝度で適宜な時間照射すると、マクロファージ（ｍａｃｒｏｐｈａｇｅ）を刺激して細胞のサイトカイン（ｃｙｔｏｋｉｎｅ）を放出し、線維芽細胞の分裂を促進するとともに、線維芽細胞を刺激してＤＮＡを合成し、増殖因子（Ｆｉｂｒｏｂｌａｓｔ  Ｇｒｏｗｔｈ  Ｆａｃｔｏｒ：ＦＧＦ）を分泌してコラーゲン合成を促進させる。被験物が体内細胞（例えば、真皮層内の線維芽細胞又はマクロファージ細胞）である場合、光が直接透過して皮膚に照射されると傷口が癒合されてアンチエージングの効果を得たり、被験物が体外細胞である場合、上述の処理を行った後、処理した細胞を生体へ殖入して上述の効果を得たりする。以上述べたことから明らかなように、本発明で述べる被験物とは、光の刺激を受ける物体である。
【００１１】
本発明の上述の光刺激方法において、発光ダイオード光源が黄色発光ダイオード又は赤色発光ダイオードである場合、被験物が線維芽細胞、マクロファージ細胞又はそれらの組み合わせであることが好ましい。本発明の好適な実施例において、被験物とは線維芽細胞である。また、黄色発光ダイオードの光波長範囲は５７０〜５９０ｎｍであり、赤色発光ダイオードの光波長範囲は６２０〜７５０ｎｍである。赤色発光ダイオードの照射時間又は黄色発光ダイオードの照射時間は、上述の効果を得て被験物に障害が起きない限り、特に限定されず、赤色発光ダイオード及び黄色発光ダイオードから出射される光線の所定輝度に応じて調整することができる。例えば、輝度が高い場合、照射時間を短くして同等の効果を得たり、反対に、輝度が低い場合、照射時間を長くして同等の効果を得たりしてもよい。
【００１２】
例えば、赤色発光ダイオードが６０００〜９５００ルクス又は黄色発光ダイオードが１０００〜３５００ルクスの輝度の光を出射する場合、照射時間は５〜９０分間である。例えば、赤色発光ダイオードを使用して輝度が９８９０ルクスの光を照射すると、短時間の場合、大きな影響は無いが、長時間の場合、輝度が高すぎて細胞に障害が起きる虞がある。反対に、赤色発光ダイオードを使用して、輝度が６０００ルクス以下の光を出射すると、輝度が低すぎるため、長時間使用することができずに効果を得ることはできない。
【００１３】
青色発光ダイオードを使用し、適宜な輝度により、適宜な時間照射すると、メラノサイトを刺激し、チロシナーゼ（ｔｙｒｏｓｉｎａｓｅ）に直接的又は間接的に影響を与えてメラニン合成を減らし、メラニン色素の沈着を防ぐこともできる。一方、プロピオニバクテリウムアクネス中のコプロポルフィリンに化学作用が発生し、細胞毒性のモノ酸素及びフリーラジカルを発生させ、プロピオニバクテリウムアクネス自身の活性に障害が起きて死ぬとともに、皮脂腺組織細胞の一部に悪影響を及ぼして皮脂分泌を減少させる。もし被験物が皮膚である場合、皮膚表面のニキビ又はプロピオニバクテリウムアクネスに対して殺菌効果を与えたり、皮膚表面のメラノサイトに対してメラニン合成を抑制したりすることにより、皮膚の色が濃くなることを防いで美白効果を得る。
【００１４】
本発明の上述の光刺激方法において、発光ダイオード光源が青色発光ダイオードである場合、被験物はプロピオニバクテリウムアクネス、メラノサイト又はそれらの組み合わせである。さらに、青色発光ダイオードの光波長範囲が４５０〜４７５ｎｍである場合、上述の効果を得て、被験物に障害が起きることを防ぐことができる限り、青色発光ダイオードの照射時間は特に限定されず、青色発光ダイオードから出射される光線の所定輝度に応じて調整してもよい。例えば、輝度が高い場合、照射時間を短くして同等の効果を得たり、反対に輝度が低い場合、照射時間を長くして同等の効果を得たりしてもよい。
【００１５】
例えば、青色発光ダイオードが３０００〜７０００ルクスの輝度の光を出射する場合、その照射時間は５〜９０分間である。しかし、使用する輝度が上述の輝度範囲より高い場合、短時間では大きな影響を受けないが、長時間の場合、輝度が高すぎるために細胞に障害が起きる虞がある。反対に、使用する輝度が上述の輝度範囲より低い場合、輝度が低すぎるために、長時間使用しても効果を得ることが困難である。本発明の好適な実施例では、青色発光ダイオードが５３３０ルクスの輝度の光を出射する場合、その照射時間が３０分間を超えないとメラニン生成を減らすことはできない。本発明の好適な実施例では、青色発光ダイオードが５７１０ルクスの輝度の光を出射する場合、１０分以上照射するだけでプロピオニバクテリウムアクネスを抑制する効果を得ることができる。
【００１６】
本発明のもう一つの目的は、特定の輝度範囲を有する光を赤色発光ダイオード又は黄色発光ダイオードから出射させ、線維芽細胞を刺激してコラーゲン合成を促進するとともに、血液循環を促進し、細胞代謝を高めたり、或いは、特定の輝度範囲を有する光を青色発光ダイオードから出射すると、プロピオニバクテリウムアクネスを抑制して殺したり、メラノサイト内のメラニン合成を低減させたり抑制させたりすることができる。
【００１７】
上記課題を解決するために、本発明の第２の形態によれば、ケーシング、光拡散シート（ｄｉｆｆｕｓｅｒ  ｐｌａｔｅ）、第１の光源モジュール及び制御モジュールを備えた光刺激装置であって、ケーシングは、光取出し口が設けられた頂面と、側縁と、を有し、光拡散シートは、ケーシングの光取出し口を覆い、第１の光源モジュールは、ケーシングの収納空間中に配置され、第１の発光ダイオードを有し、第１の発光ダイオードは、光拡散シートの下方へ配置され、第１の発光ダイオードは、赤色発光ダイオード、黄色発光ダイオード又は青色発光ダイオードを含み、黄色発光ダイオードから出射されて光拡散シートを透過する光の輝度は１０００〜３５００ルクスであり、赤色発光ダイオードから出射されて光拡散シートを透過する光の輝度は６０００〜９５００ルクスであり、青色発光ダイオードから出射されて光拡散シートを透過する光の輝度は３０００〜７０００ルクスであり、制御モジュールは、第１の光源モジュール及び電源モジュールと電気的に接続されることを特徴とする光刺激装置が提供される。
【００１８】
以上述べたことから明らかなように、本発明の光刺激装置は、青色光、黄色光又は赤色光を出射させる発光ダイオードを光源として用い、様々な色の光線が対応した輝度範囲に限定されるため、本発明の光刺激装置により照射を行うと、線維芽細胞を刺激してコラーゲン合成を促進したり、プロピオニバクテリウムアクネスを抑制したり殺したり、メラノサイト内のメラニン合成を低減したり抑制したりすることができる。
【００１９】
本発明の上述の光刺激装置では、電源モジュールは、外部電源でもよいし、ケーシングの収納空間中へ配置したりしてもよい。電源モジュールをケーシングの収納空間中に配置する場合、電源モジュールは、二次電池を含んだり一般の乾電池又はボタン電池が収納された構成により電源供給を行ってもよい。一方、電源モジュールが外部電源であったり、ケーシングの収納空間中に配置する二次電池である場合、制御モジュールは、電源モジュールを制御モジュールへ電気的に接続する充電ソケットを選択的に含んでもよい。
【００２０】
これ以外に、本発明の上述の光刺激装置の制御モジュールは、ケーシングの表面に配置されて、電源モジュールの電源供給を制御する電源スイッチを選択的に含んでもよい。さらに、ケーシングは、光刺激装置の光リーク現象を減らすことができるように、光透過率が低い材料（例えば、反射性が高かったり密度が高かったりする材料）からなることが好ましい。さらに、当業者であれば分かるように、様々な構造設計により、光刺激装置の全体構造の密着度を高めて、光刺激装置の光リーク現象を減らしてもよい。
【００２１】
他方、本発明の上述の光刺激装置は、ケーシングの側縁に光取出し孔を選択的に設けてもよい。このような場合、光刺激装置は、光取出し孔を覆う透光性プレートと、透光性プレートに対応して配置されて透光性プレートへ光線を透過させる第２の光源モジュールと、をさらに含んでもよい。また、このような構成の場合、制御モジュールは、ケーシング表面に配置され、第１の光源モジュール又は第２の光源モジュールをオンするモード切換スイッチをさらに含んでもよい。言い換えると、モード切換スイッチは、第１の光源モジュールと第２の光源モジュールとの作動を切り換える。第１の光源モジュール及び第２の光源モジュールで採用する発光ダイオードは、同じ色でもよいし異なる色でもよい。
【００２２】
本発明の上述した光刺激装置は、光取出し口に設けた光拡散シートにより出射される光を均一にし、治療光がユーザの目に直接照射されることを防ぎ、装置の光刺激効果の均一性を高める。言い換えると、元々、点光源であった発光ダイオードの光を拡散させて光取出し口の箇所で面光源を形成する。さらに、光取出し孔に設けた透光性プレートは、特に光拡散シートに限定されるわけではなく、もし光拡散シートである場合、上述の効果を得て、もし光拡散シートでない場合、点光源からの光線を直接透過させる。
【００２３】
本発明の上述の光刺激装置において、第１の光源モジュールと第２の光源モジュールとは交換してもよい。言い換えると、第１の光源モジュール及び第２の光源モジュールは、赤色発光ダイオード、黄色発光ダイオード又は青色発光ダイオードにより構成されてもよい。赤色光を照射する場合、赤色発光ダイオードで構成される光源モジュールへ交換し、青色光を照射する場合、青色発光ダイオードで構成される光源モジュールへ交換する。これ以外に、第１の光源モジュール及び第２の光源モジュールで使用する発光ダイオードを交換可能な方式に設計してもよい。言い換えると、赤色光を照射する場合、光源モジュール上の発光ダイオードを赤色発光ダイオードへ交換する。
【００２４】
以上述べたことから明らかなように、本発明の光刺激方法及び光刺激装置は、様々な色の発光ダイオード（例えば、赤色光、黄色光又は青色光の発光ダイオード）を使用し、光刺激作用を行うことができるため、プロピオニバクテリウムアクネスを抑制したり殺したり、メラノサイトのメラニン合成を低減したり抑制したり、コラーゲン合成を向上させたりすることにより、ニキビを治療したり、美白の効果を得たり、アンチエージングの効果を得たりすることができる。
【図面の簡単な説明】
【００２５】
【図１】本発明の第１実施例に係る光刺激装置を示す斜視図である。
【図２】本発明の第１実施例に係る光刺激装置を示す側面図である。
【図３】本発明の第１実施例に係る光刺激装置を示すシステムブロック図である。
【図４】本発明の第２実施例に係る人線維芽細胞の生存率を示すグラフである。
【図５】本発明の第３実施例に係る人線維芽細胞の生存率を示すグラフである。
【図６】本発明の第４実施例に係るコラーゲン合成率を示すグラフである。
【図７】本発明の第５実施例に係る人線維芽細胞の生存率を示すグラフである。
【図８】本発明の第６実施例に係る人線維芽細胞の生存率及びコラーゲン合成率を示すグラフである。
【図９】本発明の第７実施例に係るヒトメラノサイトの生存率を示すグラフである。
【図１０】本発明の第８実施例に係るメラニンの合成率を示すグラフである。
【図１１】本発明の第９実施例に係るプロピオニバクテリウムアクネスの生存率を示すグラフである。
【図１２】本発明の比較例に係る人線維芽細胞の生存率を示すグラフである。
【発明を実施するための形態】
【００２６】
以下、本発明の実施例について図に基づいて説明する。なお、これによって本発明が限定されるものではない。
【００２７】
（第１実施例）
図１〜図３を参照する。図１は、本発明の第１実施例に係る光刺激装置を示す斜視図である。図２は、本発明の第１実施例に係る光刺激装置を示す側面図である。図３は、本発明の第１実施例に係る光刺激装置を示すシステムブロック図である。
【００２８】
図１〜図３に示すように、本発明の第１実施例に係る光刺激装置は、ケーシング１０、光拡散シート１４、透光性プレート１３、第１の光源モジュール４０、第２の光源モジュール５０及び制御モジュール３０を含む。
【００２９】
ケーシング１０には、各モジュールを収納するために用いる収納空間が形成されている。さらに、ケーシング１０は、頂面１１及び側縁１２を有する。頂面１１には、光取出し口１１１が設けられている。側縁１２には、光取出し孔１２１が設けられている。
【００３０】
頂面１１に設けられた光取出し口１１１は、光拡散シート１４により覆われる。側縁１２に設けられた光取出し孔１２１は、透光性プレート１３により覆われる。第２の光源モジュール５０は、透光性プレート１３に対応してケーシング１０の収納空間中に配置されるとともに、光線を出射して透光性プレート１３に透過させ、少なくとも１つの第２の発光ダイオード５１を有する。ここで、透光性プレート１３を単純に光を透過させるだけに用い、光を拡散させるために用いない場合は、第２の光源モジュール５０を点光源にしてもよい。
【００３１】
第１の光源モジュール４０は、ケーシング１０の収納空間中に配置され、アレイ状に配列された複数の第１の発光ダイオード４１を有する。第１の発光ダイオード４１は、光拡散シート１４の下方へ配置される。第１の発光ダイオード４１は、赤色発光ダイオード、黄色発光ダイオード又は青色発光ダイオードを含む。黄色発光ダイオードから出射されて光拡散シートを透過する光の輝度は１０００〜３５００ルクスであり、赤色発光ダイオードから出射されて光拡散シートを透過する光の輝度は６０００〜９５００ルクスであり、青色発光ダイオードから出射されて光拡散シートを透過する光の輝度は３０００〜７０００ルクスである。
【００３２】
制御モジュール３０は、第１の光源モジュール４０及び電源モジュール２０と電気的に接続される。制御モジュール３０は、電源モジュール２０と電気的に接続するために用いる充電ソケット３３と、ケーシング１０の表面に設置して電源モジュール２０の電源供給を制御する電源スイッチ３１と、ケーシング１０の表面に設置して第１の光源モジュール４０又は第２の光源モジュール５０を起動するモード切換スイッチ３２と、を含む。
【００３３】
電源モジュール２０は、外部電源でもよいし、ケーシング１０の収納空間中へ配置されてもよい。電源モジュール２０は、ケーシング１０の収納空間中に配置される。電源モジュール２０は、二次電池を含んだり一般の乾電池又はボタン電池が収納された構成により電源供給してもよい。
【００３４】
そのため、上述の光刺激装置は、特定の輝度範囲を有する光を赤色発光ダイオード又は黄色発光ダイオードから出射させ、線維芽細胞を刺激してコラーゲン合成を促進したりするとともに、血液循環を促進し、細胞代謝を促進する。或いは、特定の輝度範囲を有する光を青色発光ダイオードから出射してプロピオニバクテリウムアクネスを抑制して殺したり、メラノサイト内のメラニン合成を低減させたり抑制させたりしてもよい。
【００３５】
（第２実施例）
上述の第１実施例の光刺激装置を利用し、人線維芽細胞を照射し、細胞の生存率の影響を研究した。第２実施例の光刺激装置中の光源モジュールが使用する発光ダイオードから出射される光は、輝度が９２５０ルクスの赤色光である。
【００３６】
まず、人線維芽細胞を含むＤＭＥＭ細胞培養液を４８ウェルプレート内へ加え、接種する細胞数を２×１０４個／ウェルにし、４８ウェル内の各ウェル内の培養液の総体積（細胞を含む）を計０．５ｍｌにし、ＣＯ２インキュベータにおいて２４時間培養した。その後、全ての培養液を取り出してから、ＰＢＳ緩衝液０．５ｍｌを加えて第１実施例の赤色光刺激装置（９２５０ルクス）を使用し、５、１０、１５、３０、４５、６０、９０分間照射してから、ウェル内の全てのＰＢＳ緩衝液を取り出して０．５ｍｌの培養液を加えて２４時間培養した。
【００３７】
その後、新しい培地０．５ｍｌを交換して０．１２５ｍｌのＭＴＴ試薬を加え、３７℃、５％のＣＯ２の細胞インキュベータへ入れて４時間反応させた後、全ての培地を取り出し、０．５ｍｌのＤＭＳＯに溶解したホルマザン（ｆｏｒｍａｚａｎ）を加えて０．２ｍｌを９６ウェル内へ入れ、ＥＬＩＳＡ  Ｒｅａｄｅｒ（ＥＬＩＳＡ  Ｒｅａｄｅｒ  ＳｐｅｃｔｒａＭａｘ  Ｍ２）により、ＯＤ５７０ｎｍのときの吸光度を測定した。細胞生存率の計算式は、細胞生存率（％）＝（照射後のＯＤ５７０／コントロールＯＤ５７０）×１００％であり、コントロールとは、光刺激装置により照射されない細胞を指し、その実験結果を図４に示す。
【００３８】
図４を参照する。図４に示すように、輝度が９２５０ルクスである赤色光を５分間照射した後の細胞生存率は１１６％であり、１０分間照射した後の細胞生存率は１１６％であり、１５分間照射した後の細胞生存率は１１１％であり、３０分間照射した後の細胞生存率は１１０％であり、４５分間照射した後の細胞生存率は１０９％であり、６０分間照射した後の細胞生存率は１０８％であり、９０分間照射した後の細胞生存率は１０３％であり、それらの結果は、実験を３回行って得た平均値である。ヒューマンエラーが±１０％以内である条件下では、照射時間が５〜３０分間の細胞生存率はこの値を超える。このことから明らかなように、輝度９２５０ルクスの赤色発光ダイオードを５〜３０分間照射すると、人線維芽細胞の生存率が僅かに増加する。この結果から明らかなように、赤色光を使用しても細胞生存率が減らないため、輝度が９２５０ルクスの赤色発光ダイオードの光を治療に使っても安全である。
【００３９】
（第３実施例）
上述の第２実施例の結果から明らかなように、輝度が９２５０ルクスの赤色発光ダイオードを５〜３０分間照射すると、人線維芽細胞の生存率を向上させることができるとともに、如何なる照光時間であっても治療の安全性に合致する。第３実施例では、照射回数を１回から２回へ変更し、赤色発光ダイオードの輝度を７８００ルクスまで弱めてから、細胞の生存率を試験した。
【００４０】
まず、人線維芽細胞を含むＤＭＥＭ細胞培養液を４８ウェルプレート内へ加え、接種する細胞数を２×１０４個／ウェルにし、４８ウェル内の各ウェル内の培養液の総体積（細胞を含む）を計０．５ｍｌにし、ＣＯ２インキュベータへ置いて２４時間培養した。その後、全ての培養液を取り出してから、ＰＢＳ緩衝液０．５ｍｌを加えて第１実施例の赤色光刺激装置（７８００ルクス）を使用し、５、１０、１５、３０、４５、６０、９０分間照射してから、ウェル内の全てのＰＢＳ緩衝液を取り出し、０．５ｍｌの培養液を加えて２４時間培養し、上述の光刺激ステップを再び繰り返した。
【００４１】
その後、新しい培地０．５ｍｌを交換して０．１２５ｍｌのＭＴＴ試薬を加え、３７℃、５％のＣＯ２の細胞インキュベータへ入れて４時間反応させた後、全ての培地を取り出し、０．５ｍｌのＤＭＳＯに溶解したホルマザン（ｆｏｒｍａｚａｎ）を加え、０．２ｍｌを９６ウェル内へ入れて、ＥＬＩＳＡ  Ｒｅａｄｅｒ（ＥＬＩＳＡ  Ｒｅａｄｅｒ  ＳｐｅｃｔｒａＭａｘ  Ｍ２）により、ＯＤ５７０ｎｍのときの吸光度を測定した。細胞生存率の計算式は、細胞生存率（％）＝（照射後のＯＤ５７０／コントロールＯＤ５７０）×１００％であり、コントロールとは、光刺激装置で照射されない細胞を指し、その実験結果を図５に示す。
【００４２】
図５を参照する。図５に示すように、輝度が７８００ルクスである赤色光を５分間照射した後の細胞生存率は１２２％であり、１０分間照射した後の細胞生存率は１３２％であり、１５分間照射した後の細胞生存率は１２１％であり、３０分間照射した後の細胞生存率は１１９％であり、４５分間照射した後の細胞生存率は１２１％であり、６０分間照射した後の細胞生存率は１１６％であり、９０分間照射した後の細胞生存率は１０７％であった。
【００４３】
上述の結果は、実験を３回繰り返して得た平均値である。ヒューマンエラーが±１０％である条件下では、照射時間が５〜６０分間の細胞生存率はこの値を超える。このことから明らかなように、輝度７８００ルクスの赤色発光ダイオードを５〜６０分間照射すると、人線維芽細胞の生存率が高まり、特に５〜４５分間照射したときの効果が最も高い。
【００４４】
（第４実施例）
上述した第１実施例の光刺激装置により人線維芽細胞を照射し、人線維芽細胞が分泌するコラーゲンの影響を研究した。第４実施例では、光刺激装置中の光源モジュールが使用する発光ダイオードから輝度が７８００ルクスの赤色光を出射させた。
【００４５】
まず、人線維芽細胞を含むＤＭＥＭ細胞培養液を４８ウェルプレート内へ加え、接種した細胞数は２×１０４個／ウェルであり、４８ウェル内の各ウェル内の培養液の総体積（細胞を含む）は計０．５ｍｌであり、ＣＯ２インキュベータへ置いて２４時間培養した。その後、全ての培養液を取り出してから、ＰＢＳ緩衝液０．５ｍｌを加えて第１実施例の赤色光刺激装置（７８００ルクス）を使用し、５、１０、１５、３０、４５分間照射してから、ウェル内の全てのＰＢＳ緩衝液を取り出し、０．５ｍｌの培養液を加えて２４時間培養し、上述の光刺激ステップを再び繰り返した。
【００４６】
その後、ウェル内の培地を全て取り出し、１．５ｍｌのエッピンチューブへ入れた後、培養後の細胞のウェルへ０．５ｍｌ、０．５Ｍの酢酸水溶液（４℃）をそれぞれ加え、２０分間放置して、その中のコラーゲンを溶解した後、ウェル内の全ての水溶液を取り出して１．５ｍｌのエッペンチューブ内へ入れ、エッペンチューブへ５０μｌの酸中和剤（ａｃｉｄ  ｎｅｕｔｒａｌｉｚｉｎｇ  ｒｅａｇｅｎｔ：Ｂｉｏｃｏｌｏｒ）、４℃、１００μｌの分離濃縮剤（Ｉｓｏｌａｔｉｏｎ  ＆  Ｃｏｎｃｅｎｔｒａｔｉｏｎ  Ｒｅａｇｅｎｔ：Ｂｉｏｃｏｌｏｒ）をそれぞれ加え、４℃の冷蔵庫に一晩置いた。その後、エッペンチューブを取り出して１２０００ｒｐｍで１０分間遠心させて上澄み液を取り除いてから、エッペンチューブ内に１ｍｌの呈色試験液（Ｓｉｒｃｏｌ  Ｄｙｅ  Ｒｅａｇｅｎｔ：Ｂｉｏｃｏｌｏｒ）を加えてエッペンチューブへ入れて３０分間、音波処理し、１２０００ｒｐｍで１０分間遠心処理した後、上澄み液を取り除いてから、４℃、７５０μｌの酸塩洗浄剤（Ａｃｉｄ−Ｓａｌｔ  Ｗａｓｈ  Ｒｅａｇｅｎｔ：Ｂｉｏｃｏｌｏｒ）を加え、その後、１２０００ｒｐｍで１０分間遠心して上澄み液を取り除き、エッピンチューブに２５０μｌのアルカリ剤（Ａｌｋａｌｉ  Ｒｅａｇｅｎｔ：Ｂｉｏｃｏｌｏｒ）を加えてから、最後に各チューブから２００μｌを取り出して９６ウェル内へ入れ、５５５ｎｍの吸光度を測定した。コラーゲン生成率（％）＝（照射後のコラーゲン生成量／コントロールのコラーゲン生成量）×１００％において、コントロールとは、光刺激装置により照射されていない細胞のことを指し、その実験結果を図６に示す。図６は、線維芽細胞の生存率を示し、この細胞生存率は上述の第２実施例の方法により測定して得た結果である。
【００４７】
図６を参照する。図６に示すように、輝度７８００ルクスの赤色発光ダイオードを３０分間照射した後のコラーゲン合成率は１２３％であり、輝度は７８００ルクスの赤色発光ダイオードを照射した後、人繊維芽細部から分泌するコラーゲン効果を増進させるが、３０分間照射したときの効果が最も高かった。
【００４８】
（第５実施例）
上述の第１実施例の光刺激装置を利用して人線維芽細胞を照射し、線維芽細胞の生存率に与える影響を研究した。第５実施例の光刺激装置中の光源モジュールが使用する発光ダイオードから出射される光の輝度は２２９０ルクスの黄色光であり、第３実施例の方法により分析を行い、照射時間は、５、１０、１５、３０、４５分間であり、その実験結果を図７に示す。
【００４９】
図７を参照する。図７に示すように、２２９０ルクスの黄色発光ダイオードを１５分間照射した後の細胞生存率は１１５％であり、これは人線維芽細胞の生存率を高める効果が得られることを表し、１０〜４５分間照射した後の効果が最も高いことを表す。
【００５０】
（第６実施例）
上述した第１実施例の光刺激装置を利用し、人線維芽細胞を照射し、線維芽細胞が分泌するコラーゲンに対する影響を研究した。第６実施例の光刺激装置中の光源モジュールが使用する発光ダイオードから出射される黄色光の輝度は２２９０ルクスであり、第４実施例の方法により分析し、その実験結果を図８に示す。また、図８は、線維芽細胞の生存率を表し、この細胞生存率は、第５実施例の方法により測定した。
【００５１】
図８を参照する。図８に示すように、２２９０ルクスの黄色発光ダイオードを１５分間照射した後のコラーゲン合成率は１２５％である上、細胞毒性が無く、これは人線維芽細胞が分泌するコラーゲンを増やす効果があることを表すが、その効果は照射時間１０〜４５分間のときが最も高かった。
【００５２】
（第７実施例）
上述の第１実施例の光刺激装置を利用し、ヒトメラノサイトを照射し、ヒトメラノサイトの生存率に対する影響を研究した。第７実施例の光刺激装置中の光源モジュールが使用する発光ダイオードから輝度５３３０ルクスの青色光を出射させた。
【００５３】
まず、α−ＭＳＨ培地を含むヒトメラノサイトを２４ウェルプレート内へ接種し、この細胞数を７×１０４個／ウェルにした。続いて、各ウェルに１０％のＦＢＳ（Ｈｙｃｌｏｎｅ）の培地を加え、細胞を含む総体積を計０．５ｍｌにし、ＣＯ２インキュベータにおいて２４時間培養した。その後、全ての培養液を取り出してから、ＰＢＳ緩衝液０．５ｍｌを加えて第１実施例の青色光刺激装置（５３３０ルクス；ファンを増設して放熱し、温度を維持した）を使用し、５、１０、１５、３０、４５、６０、９０分間照射してから、全てのＰＢＳ緩衝液を取り出して、０．５ｍｌの培地を加えて２４時間培養した。
【００５４】
その後、新しい培地０．５ｍｌを交換して０．１２５ｍｌのＭＴＴ試薬を加え、３７℃、５％のＣＯ２の細胞インキュベータへ入れて４時間反応させた後、全ての培地を取り出して０．５ｍｌのＤＭＳＯに溶解したホルマザン（ｆｏｒｍａｚａｎ）を加え、０．２ｍｌを９６ウェル内へ入れて、ＥＬＩＳＡ  Ｒｅａｄｅｒ（ＥＬＩＳＡ  Ｒｅａｄｅｒ  ＳｐｅｃｔｒａＭａｘ  Ｍ２）により、ＯＤ５７０ｎｍのときの吸光度を測定した。細胞生存率の計算式は、細胞生存率（％）＝（照射後のＯＤ５７０／コントロールＯＤ５７０）×１００％であり、ここでコントロールとは、光刺激装置により照射されていない細胞を指し、その実験結果を図９に示す。
【００５５】
図９を参照する。図９から明らかなように、細胞が死ぬ現象は全く起こらず、コントロールと比較した後のヒューマンエラーは±１０％以内であり、これはこの輝度の条件下において青色光が依然として安全範囲内にあることを表す。
【００５６】
（第８実施例）
上述の第１実施例の光刺激装置を利用し、ヒトメラノサイトを照射し、メラニン合成に与える影響を研究した。第８本実施例の光刺激装置中の光源モジュールが使用する発光ダイオードにより輝度５３３０ルクスの青色光を出射させた。
【００５７】
まず、α−ＭＳＨ培地を含むヒトメラノサイトを２４ウェルプレート内へ接種する。この細胞数は１×１０５個／ウェルであり、各ウェル内に１０％のＦＢＳの培地及び細胞液を加え、その総体積を総計０．５ｍｌにし、ＣＯ２インキュベータにおいて２４時間培養した。その後、全ての培地を取り出してから、ＰＢＳ緩衝液０．５ｍｌを加えて第１実施例の青色光刺激装置（５３３０ルクス；ファンを増設して放熱し、温度を維持した）を使用し、５、１０、１５、３０、４５、６０、９０分間照射してから、ＰＢＳ緩衝液の全てを取り出して０．５ｍｌの培地を加えて２４時間培養した。その後、全ての培地を取り出し、Ｔｒｙｐｓｉｎ−ＥＤＴＡ溶液（１Ｘ）により細胞を洗浄した後、１０００ｒｐｍで１０分間遠心して上澄み液を取り除き、２００μｌの１Ｍ、ＮａＯＨを加えて沸騰水に１０分間浸漬し、細胞内のメラニンをＮａＯＨ内へ溶解させてから、分光光度計を利用してＯＤ４９０ｎｍによりメラニンの含有量を測定した。その結果を図１０に示す。
【００５８】
図１０を参照する。図１０に示すように、５３３０ルクスの青色発光ダイオードの場合、５分間照射した後のメラニンの発生率は１０５％であり、１０分間照射した後のメラニンの発生率は１０１％であり、１５分間照射した後のメラニンの発生率は１０５％であり、３０分間照射した後のメラニンの発生率は１０８％であり、４５分間照射した後のメラニンの発生率は９６％であり、６０分間照射した後のメラニンの発生率は９８％であり、９０分間照射した後のメラニンの発生率は９１％であった。上述の結果は、実験を３回繰り返して得た平均値であり、この実験結果から明らかなように、青色光を９０分間照射するとメラノサイトのメラニン量が約１０％減少する。
【００５９】
（第９実施例）
上述の第１実施例の光刺激装置を利用し、プロピオニバクテリウムアクネスを照射し、プロピオニバクテリウムアクネスの生存率に与える影響を研究した。第９実施例の光刺激装置中の光源モジュールが使用する発光ダイオードにより、輝度が５７１０ルクスである青色光を出射させた。
【００６０】
まず、冷凍保存された菌液を取り出し、平板培地で３つの区画線で培養し、１つのコロニーを選択し、そのコロニーを無菌接種で耳取り、平板培地上へ塗布し、４８時間後に平板培地上から掻き取って無菌水に溶かし、無菌水のＯＤ値（ＯＤ６００＝０．１）を調整した後、無菌水で２倍に希釈して菌数が１０６の菌液を得ることができる。
【００６１】
続いて、菌液を６ｃｍの９枚のシャーレへ置き、各シャーレの菌液量はそれぞれ５ｍｌであり、第１実施例の青色光刺激装置（５７１０ルクス）を用いて、５、１０、１５、２０、３０、４５、６０、９０分間照射した。その後、光を照射した後の菌液を連続して１０倍希釈し、その濃度を１０−３、１０−４、１０−５にし、各濃度で０．１ｍｌの培養液を取り出してＲＣＭ（ＢＤ  ｂｉｏｓｃｉｅｎｃｅｓ）のシャーレ上に塗布し、夫々３枚に分け、３７℃の嫌気性条件にて４８時間培養し、その後、シャーレを取り出して菌の数を計算し、３０〜３００個のコロニーの数／シャーレをコロニーの有効数とした。
【００６２】
さらに、光照射後の残りの菌液を、０．１ｍｌ取り出して液体５ｍｌのＲＣＭ培地において、３７℃の嫌気性条件にて４８時間培養した後、ＯＤ６００にて光照射後のプロピオニバクテリウムアクネスの成長変化を観察し、その結果を図１１に示す。図１１に示すように、４５分間照射した後、プロピオニバクテリウムアクネスを抑制する効果は９５％に達することから、菌抑制効果が十分あることは明らかである。
【００６３】
（比較例）
光刺激装置により人線維芽細胞を照射し、人線維芽細胞の生存率に対する影響を研究した。本比較例において、光源モジュールが使用する発光ダイオードは、輝度９８９０ルクスの赤色光を出射し、第２実施例で述べる方法により分析を行い、その実験結果を図１２に示す。
【００６４】
図１２に示すように、９８９０ルクスの赤色発光ダイオードを５分間照射した後の細胞生存率は１１１％であり、１０分間照射した後の細胞生存率は１０５％であり、１５分間照射した後の細胞生存率は１０８％であり、３０分間照射した後の細胞生存率は９１％であり、４５分間照射した後の細胞生存率は８２％であり、６０分間照射した後の細胞生存率は７５％であり、９０分間照射した後の細胞生存率は８５％であり、それらの結果は、実験を３回繰り返して得た平均値である。
【００６５】
ヒューマンエラーが±１０％以内である条件下では、光照射時間が５分間の細胞生存率はこの値を超える。しかし、光照射時間が４５〜９０分間の細胞生存率はこの値より低い。このことから明らかなように、９８９０ルクスの赤色発光ダイオードを５分間照射すると、人線維芽細胞の生存率が僅かに高まるが、照光時間が長くなるに従い、人線維芽細胞の生存率が下がり始め、３０分に達するとコントロールよりも生存率が低くなり、４５分を超えるとさらに減少する。そのため、９８９０ルクスの赤色発光ダイオードで細胞を照射すると、安全性に問題が発生する虞がある。
【００６６】
当該分野の技術を熟知するものが理解できるように、本発明の好適な実施例を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００６７】
１０  ケーシング
１１  頂面
１２  側縁
１３  透光性プレート
１４  光拡散シート
２０  電源モジュール
３０  制御モジュール
３１  電源スイッチ
３２  モード切換スイッチ
３３  充電ソケット
４０  第１の光源モジュール
４１  第１の発光ダイオード
５０  第２の光源モジュール
５１  第２の発光ダイオード
１１１  光取出し口
１２１  光取出し孔
【図１】
2013146528.tif 000003
【図２】
2013146528.tif 000004
【図３】
2013146528.tif 000005
【図４】
2013146528.tif 000006
【図５】
2013146528.tif 000007
【図６】
2013146528.tif 000008
【図７】
2013146528.tif 000009
【図８】
2013146528.tif 000010
【図９】
2013146528.tif 000011
【図１０】
2013146528.tif 000012
【図１１】
2013146528.tif 000013
【図１２】
2013146528.tif 000014